(57)【特許請求の範囲】
【請求項１】
端子金具が挿入されるキャビティの設けられたハウジング本体の回りには、相手のコネクタの筒状嵌合部が内嵌されるフード部が設けられ、前記相手のコネクタとの嵌合時には、この相手のコネクタの対向面が前記ハウジング本体の前面に突き当たるようになっており、前記ハウジング本体の基端側の外周に前記筒状嵌合部との間で挟持されるシールリングが装着された防水コネクタにおいて、
前記ハウジング本体には、前記端子金具を抜け止め状態に係止するリテーナ全体を挿入可能としたリテーナ挿入溝が、前記シールリングの装着位置よりも前方で、かつ前記前面を構成する壁面の裏面に位置し、かつ前記端子金具の挿入方向と交差する方向に形成されているとともに、
前記フード部には、前記リテーナを前記リテーナ挿入溝に向けて挿通可能とする窓孔が形成され、
前記リテーナには、前記端子金具と係合可能な係合部が設けられ、このリテーナは前記リテーナ挿入溝内において、前記係合部が前記キャビティの側方に退避して前記端子金具の挿抜を許容する仮係止位置と、前記係合部が前記キャビティ内に突出して前記端子金具と係合して抜け止め状態に係止する前記本係止位置との間で移動可能とされるとともに、前記リテーナ挿入溝には、前記リテーナを前記本係止位置と仮係止位置に保持可能なロック手段が設けられ、
前記リテーナには、このリテーナを前記仮係止位置と本係止位置との間で移動操作するための操作部が設けられ、この操作部は前記リテーナが前記リテーナ挿入溝に挿入されたときに前記前面内に配されていることを特徴とする防水コネクタ。
【請求項２】
前記操作部は前記ハウジング本体の前面から突出して配され、前記ハウジング本体の前面と対向した前記相手のコネクタの対向面には、前記リテーナが本係止位置にある場合に前記操作部の進入を許容するとともに、前記リテーナが仮係止位置にある場合に前記操作部と干渉する検知孔が形成されていることを特徴とする請求項１記載の防水コネクタ。
【発明の詳細な説明】
【０００１】
【発明の属する技術分野】
本発明は、リテーナを備えた防水コネクタに関する。
【０００２】
【従来の技術】
リテーナ付きのコネクタの一例としてサイドリテーナタイプのものがある。このタイプのコネクタは、複数のキャビティが設けられたハウジングの側面からリテーナを差し込み、キャビティに挿入された端子金具の段差部等に係止させることで、端子金具を抜け止め状態に二重係止するものであって、端子金具に直接係止できることで係止力が強いという利点を有している。
一方、防水タイプのコネクタでは、ハウジングの外周にフード部を設けたものがあるが、このタイプのコネクタにサイドリテーナを適用しようとすると、フード部にリテーナを挿入するための窓孔を開ける必要があって防水の面で芳しくないと考えられ、防水コネクタに対してはサイドリテーナは採用しないのが一般的である。
【０００３】
その中で従来、フード部にリテーナ挿入用の窓孔を空けることなくサイドリテーナを採用したコネクタが、米国特許第５,６９２,９２９号公報により提案されている。
このものは、リテーナが、キャビティの設けられたハウジングの先端側の回りを覆うことができる形状に形成され、リテーナは、ハウジングに対して前面から被せるように差し込まれた上で、端子金具の挿入方向と直交する方向において仮係止位置と本係止位置との間で移動可能とされ、仮係止位置ではリテーナに設けられた係合部がキャビティの側方に退避して端子金具の挿抜を許容し、本係止位置では係合部がキャビティ内に突出して端子金具に抜け止め状態に係止する構造となっている。
【０００４】
【発明が解決しようとする課題】
しかしながら上記のものは、リテーナがハウジングの外側に被せられた構造であり、さらにハウジングとその回りに設けられたフード部との間に、被せられたリテーナが径方向に移動することを許容する空間を確保する必要があるために、コネクタ全体が大型化するという問題があった。
本発明は上記のような事情に基づいて完成されたものであって、その目的は、サイドタイプのリテーナを装着してもなお小型化を実現し得る防水コネクタを提供するところにある。
【０００５】
【課題を解決するための手段】
上記の目的を達成するための手段として、請求項１の発明は、端子金具が挿入されるキャビティの設けられたハウジング本体の回りには、相手のコネクタの筒状嵌合部が内嵌されるフード部が設けられ、前記相手のコネクタとの嵌合時には、この相手のコネクタの対向面が前記ハウジング本体の前面に突き当たるようになっており、前記ハウジング本体の基端側の外周に前記筒状嵌合部との間で挟持されるシールリングが装着された防水コネクタにおいて、前記ハウジング本体には、前記端子金具を抜け止め状態に係止するリテーナ全体を挿入可能としたリテーナ挿入溝が、前記シールリングの装着位置よりも前方で、かつ前記前面を構成する壁面の裏面に位置し、かつ前記端子金具の挿入方向と交差する方向に形成されているとともに、前記フード部には、前記リテーナを前記リテーナ挿入溝に向けて挿通可能とする窓孔が形成され、前記リテーナには、前記端子金具と係合可能な係合部が設けられ、このリテーナは前記リテーナ挿入溝内において、前記係合部が前記キャビティの側方に退避して前記端子金具の挿抜を許容する仮係止位置と、前記係合部が前記キャビティ内に突出して前記端子金具と係合して抜け止め状態に係止する前記本係止位置との間で移動可能とされるとともに、前記リテーナ挿入溝には、前記リテーナを前記本係止位置と仮係止位置に保持可能なロック手段が設けられ、前記リテーナには、このリテーナを前記仮係止位置と本係止位置との間で移動操作するための操作部が設けられ、この操作部は前記リテーナが前記リテーナ挿入溝に挿入されたときに前記前面内に配されている構成としたところに特徴を有する。
【０００６】
請求項２の発明は、請求項１記載のものにおいて、前記操作部は前記ハウジング本体の前面から突出して配され、前記ハウジング本体の前面と対向した前記相手のコネクタの対向面には、前記リテーナが本係止位置にある場合に前記操作部の進入を許容するとともに、前記リテーナが仮係止位置にある場合に前記操作部と干渉する検知孔が形成されているところに特徴を有する。
【００１０】
【発明の作用及び効果】
＜請求項１の発明＞
リテーナはフード部の窓孔を通してハウジング本体に設けられたリテーナ挿入溝に側面から挿入され、キャビティに挿入された端子金具に係止して抜け止め状態とする。
リテーナはリテーナ挿入溝に差し込まれる構造であるから、リテーナ自体が小型にでき、ひいてはコネクタ全体を小型化できる。フード部にはリテーナ挿通用の窓孔が開くが、リテーナが小型であって窓孔は小さな開口面積に留められ、しかも相手のコネクタとの間でシールを取るシールリングよりも前方で開口されているから、防水に対する影響は無い。
上記リテーナが仮係止位置にあると、係合部がキャビティの側方に退避して端子金具がキャビティに挿抜されることが許容され、一方本係止位置に移動すると、係合部がキャビティ内に突出して端子金具に係合することで端子金具を抜け止め状態とする。また、例えば従来のようにリテーナがハウジングの外周に被さる構造であると、仮係止位置と本係止位置で係止する場合にそれぞれ対称位置に２箇所ずつロック部分を設定する必要があり、構造が複雑となることに加えて、ロックが片利きとなることが懸念される。  
その点この発明では、ロック機構がハウジング本体の内部に設けられることで、ロック部分が仮係止位置と本係止位置のそれぞれ１箇所で済み、構造が簡単にできるとともに、ロックの片利きが生ずることも防止される。
さらに、リテーナの操作部がハウジング本体の前面に位置しているため、リテーナの移動操作をコネクタの前方から行うことができる。
【００１１】
＜請求項２の発明＞
リテーナの操作部がハウジング本体の前面に突出しているから、広く開口した前面側から操作部を目視しつつ手によりまたは治具を用いてリテーナを移動操作することができる。
また、リテーナが仮係止位置に留められたままで相手のコネクタと嵌合されると、リテーナの操作部が相手のコネクタの対向面に突き当たって正規に嵌合できず、リテーナが本係止位置に移動されていれば、操作部が検知孔に進入して逃がされることで両コネクタが正規に嵌合される。両コネクタが正規に嵌合されたか否かをもって、リテーナが本係止位置に移動しているか否かが検知でき、しかもこの検知部材をリテーナの操作部により兼用したから、簡単な構造に留められる。
【００１５】
【発明の実施の形態】
以下、本発明の一実施形態を図１ないし図１７に基づいて説明する。
この実施形態では、互いに嵌合されるハイブリッド形式の雌雄一対の防水コネクタを備えており、まず雌コネクタＦについて図１ないし図１０により説明する。
雌コネクタＦは、合成樹脂材により形成された雌ハウジング１を有しており、大まかには、図１及び図３に示すように、断面が横長形状をなすハウジング本体２と、その前端側の回りを囲むように形成されたフード部３とから構成されている。
【００１６】
ハウジング本体２内には、その上段側に図示５個の小キャビティ５Ａが、下段側に図示４個の大キャビティ５Ｂがそれぞれ並んで形成されている。小キャビティ５Ａには小型の雌側端子金具６Ａが、また大キャビティ５Ｂには大型の雌側端子金具６Ｂが互いに向き合った姿勢で後方から挿入され（図１０参照）、それぞれに設けられた金属ランス７がキャビティ５Ａ，５Ｂの側壁に設けられた係止溝８に嵌まることで、抜け止め状態に一次係止されて収容されるようになっている。
【００１７】
ハウジング本体２の外周面におけるフード部３の奥端と対応する位置には、シールリング１０が装着されているとともに、フード部３の上面にはロックアーム１１が形成されている。したがって、後記するように相手の雄コネクタＭと嵌合され、雄ハウジング４１の筒状嵌合部４２がフード部３の内側に正規位置まで進入すると、筒状嵌合部４２とハウジング本体２との間でシールリング１０が弾性的に挟持されることで両コネクタＦ，Ｍ間のシールが取られ、またロックアーム１１の係止孔１２に雄ハウジング４１側の突起４３が嵌まって、両コネクタＦ，Ｍが嵌合状態にロックされるようになっている。
【００１８】
ハウジング本体２には、雌側端子金具６Ａ，６Ｂを二重係止するためのリテーナ１４が装着可能とされている。リテーナ１４は、合成樹脂材により図４，５に示す形状に形成されている。このリテーナ１４は詳細には、ハウジング本体２の横幅よりも少し小さい長さ寸法を持ち、基板１５の幅方向の中央部にガイド板１６が直角に立てられたＴ字形断面に形成されている。基板１５の一方の側縁には、小型の雌側端子金具６Ａの段差部９に係止可能な図示５個の係合突部１７Ａが形成されているとともに、他方の側縁には、大型の雌側端子金具６Ｂの段差部９に係止可能な図示４個の係合突部１７Ｂが形成されている。
【００１９】
ガイド板１６の突出縁には、その長さ方向のほぼ中央部において弾性係止片１９が形成されている。この弾性係止片１９は、差し込み方向の前方（図６の左方）を向いた片持ち状に形成されて撓み変形可能となっており、先端側の外面に嵌合突起２０が形成されている。また、弾性係止片１９の付け根側には、操作部２１が突設されている。
【００２０】
ハウジング本体２における一方の短辺側の面には、上記のリテーナ１４を差し込むためのリテーナ挿入溝２３が形成されている。リテーナ挿入溝２３は詳細には、上下のキャビティ５Ａ，５Ｂの列の間において、雌側端子金具６Ａ，６Ｂの挿入方向と直交する向きに形成されている。このリテーナ挿入溝２３も断面Ｔ字形に形成され、リテーナ１４の基板１５が差し込まれる基板差込部２４が、上記したシールリング１０の装着位置よりも前方に位置しており、基板差込部２４の上下両側縁は上下のキャビティ５Ａ，５Ｂに臨んでいる。
【００２１】
リテーナ１４のガイド板１６が差し込まれるガイド板差込部２５の前面には、図１及び図６に示すように、リテーナ１４の差し込み方向の手前側から順次に、操作部２１をハウジング本体２の前面に突出させた状態で摺動可能とする摺動孔２７と、弾性係止片１９の嵌合突起２０がそれぞれ嵌合可能な仮係止孔２８及び本係止孔２９と、相手の雄コネクタＭに設けられたリテーナ１４の操作部２１が嵌合可能な検知孔３０とが形成されている。
【００２２】
また、リテーナ挿入溝２３の差込口の外側に対応するフード部３の側面には、図２に示すように、リテーナ１４をリテーナ挿入溝２３に向けて挿通可能とする一回り大きなＴ字形をなす窓孔３２が開口されている。
なお、操作部２１がハウジング本体２の前面に突出していることで、前面側から指または治具を挿入して操作部２１に引っ掛けてリテーナ１４を移動操作することが可能である。
【００２３】
リテーナ１４は、フード部３の窓孔３２を通してハウジング本体２のリテーナ挿入溝２３に差し込まれ、まず図６に示すように、弾性係止片１９の嵌合突起２０が手前側の仮係止孔２８に嵌まることで仮係止位置に保持される。この仮係止位置では、図８に示すように、リテーナ１４の基板１５の各係合突部１７Ａ，１７Ｂがキャビティ５Ａ，５Ｂの手前側に退避している。仮係止位置からさらにリテーナ１４が押し込まれると、図７に示すように、弾性係止片１９の嵌合突起２０が向こう側の本係止孔２９に嵌まることで本係止位置に保持され、この本係止位置では、図９に示すように、リテーナ１４の基板１５の各係合突部１７Ａ，１７Ｂがキャビティ５Ａ，５Ｂ内に突出するようになっている。
【００２４】
次に相手の雄コネクタＭについて、図１１ないし図１４によって説明する。この雄コネクタＭはパネル取付型のコネクタであって、同じく合成樹脂材により形成された雄ハウジング４１を備えている。雄ハウジング４１の前面側には、上記した雌ハウジング１のフード部３の内側にほぼ緊密に嵌合される筒状嵌合部４２が形成され、筒状嵌合部４２内の奥端には、合成樹脂材により別体として形成された端子収容部材４４が装着されるようになっている。
【００２５】
この端子収容部材４４には、その上段側に図示５個の小キャビティ４５Ａが、下段側に図示４個の大キャビティ４５Ｂがそれぞれ並んで形成されており、端子収容部材４４が筒状嵌合部４２内の奥端まで押し込まれると、上下両面に設けられた係止爪４６が、筒状嵌合部４２の上下の内壁に形成された係止突部４７または係止凹部４８にそれぞれ係止されることで抜け止め状態で装着されるようになっている。なお、筒状嵌合部４２の後端側に張り出した部分には、上下のそれぞれのキャビティ４５Ａ，４５Ｂに連通して端子挿入口５０が形成されている。
【００２６】
したがってそれぞれのキャビティ４５Ａ，４５Ｂには、端子挿入口５０を通して小型と大型の雄側端子金具６６Ａ，６６Ｂ（図１２に鎖線で図示）が、互いに向き合った姿勢で後方から挿入され、それぞれに設けられた金属ランス６７がキャビティ４５Ａ，４５Ｂの側壁に設けられた係止溝５２に嵌まることで、タブ６８を筒状嵌合部４２内に突出させた状態で抜け止め状態に一次係止されて収容されるようになっている。
なお、図１２以外では、雄側端子金具６６Ａ，６６Ｂの図示は省略されている。
【００２７】
端子収容部材４４には、雄側端子金具６６Ａ，６６Ｂを二重係止するためのリテーナ１４が予め装着されるようになっている。このリテーナ１４は、上記した雌コネクタＦに装着されたリテーナ１４と同じものが使用されるとともに、端子収容部材４４の一方の短辺側の面には、リテーナ挿入溝２３が雌コネクタＦ側のリテーナ挿入溝２３と左右対称の向きで形成されている。リテーナ１４とリテーナ挿入溝２３の形状については、雌コネクタＦ側と同一符号を付すことで重複した説明を省略する。
【００２８】
リテーナ１４は、端子収容部材４４が雄ハウジング４１の筒状嵌合部４２内に装着される前に、外部において端子収容部材４４のリテーナ挿入溝２３に差し込まれ、まず弾性係止片１９の嵌合突起２０が仮係止孔２８に嵌まることで仮係止位置に保持される。この仮係止位置では、リテーナ１４の基板１５の各係合突部１７Ａ，１７Ｂがキャビティ４５Ａ，４５Ｂの手前側に退避している。端子収容部材４４は、リテーナ１４が仮係止位置に保持された状態で上記のように筒状嵌合部４２内に装着され、各キャビティ４５Ａ，４５Ｂ内に雄側端子金具６６Ａ，６６Ｂが収容されたのちに本係止位置に向けて押し込まれるようになっている。本係止位置には弾性係止片１９の嵌合突起２０が本係止孔２９に嵌まることで保持され、リテーナ１４の基板１５の各係合突部１７Ａ，１７Ｂがキャビティ４５Ａ，４５Ｂ内に突出する。
【００２９】
リテーナ１４に設けられた操作部２１は、図１３，１４に示すように端子収容部材４４の前面に突出しており、筒状嵌合部４２内に指または治具を挿入して操作部２１に引っ掛けることで、前面側からリテーナ１４を移動操作することが可能となっている。また、雄コネクタＭ側のリテーナ１４が本係止位置にある場合には、リテーナ１４の操作部２１は、雌コネクタＦのハウジング本体２の前面に開口された検知孔３０に嵌合可能に対応するようになっている。
一方、上記した雌コネクタＦ側のリテーナ１４が本係止位置にある場合には、このリテーナ１４の操作部２１は、雄コネクタＭに装着された端子収容部材４４の前面に開口された検知孔３０に嵌合可能に対応するようになっている。
【００３０】
なお、雄コネクタＭは上記のようにパネル５５の取付孔５６（図１５参照）に取付可能となっており、図１１，１２に示すように、筒状嵌合部４２の後端側の外周にはフランジ５８が形成されているとともに、その前面に取付孔５６内に嵌合される円形壁５９が突設され、円形壁５９の外周には、取付孔５６の口縁に切欠形成された逃がし溝に挿入可能な突起６０が９０度間隔を空けて形成されている。
【００３１】
本実施形態は上記のような構造であって、続いてその作用を説明する。
雄コネクタＭは以下のようにして組み付けられる。まず、端子収容部材４４のリテーナ挿入溝２３にリテーナ１４が差し込まれて仮係止位置に保持される。係る状態で端子収容部材４４が雄ハウジング４１の筒状嵌合部４２内に押し込まれ、図１２に示すように、上下両面の係止爪４６が係止突部４７または係止凹部４８に弾性的に係止されることで抜け止め状態に装着される（図１３）。続いて、後端側の端子挿入口５０から上下のキャビティ４５Ａ，４５Ｂに対して小型と大型の雄側端子金具６６Ａ，６６Ｂが挿入され、金属ランス６７により一次係止されて収容される。
【００３２】
次に、筒状嵌合部４２内に前面側から指または治具を入れてリテーナ１４の操作部２１に引っ掛け、リテーナ１４を図１４に示す本係止位置に移動させる。これにより、リテーナ１４の各係合突部１７Ａ，１７Ｂがキャビティ４５Ａ，４５Ｂ内に突出し、雄側端子金具６６Ａ，６６Ｂの段差部６９の後面に係止することによって、雄側端子金具６６Ａ，６６Ｂが抜け止め状態に二重係止される。
【００３３】
これにより雄コネクタＭ側の組付けが完了し、この雄コネクタＭは、突起６０をパネル５５の取付孔５６の口縁に設けられた逃がし溝に合わせつつ、円形壁５９が取付孔５６に押し込まれ、フランジ５８がパッキン６１を介してパネル５５に突き当たったところで軸線回りに回動させて、図１５に示すように、取付孔５６の表裏の口縁をフランジ５８と突起６０とで挟持することによりパネル５５に固定される。
【００３４】
一方、雌コネクタＦの組み付けは以下のようにして行われる。まずリテーナ１４が、フード部３の窓孔３２を通してハウジング本体２のリテーナ挿入溝２３に差し込まれ、図６に示す仮係止位置に保持される。この仮係止位置では、図８のように、リテーナ１４の基板１５の各係合突部１７Ａ，１７Ｂがキャビティ５Ａ，５Ｂの手前側に退避しているから、雌側端子金具６Ａ，６Ｂの挿入が許容される状態にある。この状態で、ハウジング本体２に形成された上下のキャビティ５Ａ，５Ｂに、それぞれ小型と大型の雌側端子金具６Ａ，６Ｂが後方から挿入され、金属ランス７により一次係止されて収容される。
【００３５】
すべての雌側端子金具６Ａ，６Ｂの挿入が完了したら、前面側からリテーナ１４の操作部２１に指または治具を引っ掛け、リテーナ１４を図７に示す本係止位置に移動させる。そうすると、図９のように、リテーナ１４の基板１５の各係合突部１７Ａ，１７Ｂがキャビティ５Ａ，５Ｂ内に突出し、図１０のように、雌側端子金具６Ａ，６Ｂの段差部９の後面に係止することによって、雌側端子金具６Ａ，６Ｂが抜け止め状態に二重係止される。
【００３６】
これにより雌コネクタＦの組み付けが完了し、雌コネクタＦはパネル５５に取り付けられた雄コネクタＭに対して、図１５の矢線に示すように嵌合される。雌コネクタＦが嵌合されると、ロックアーム１１を撓み変形させつつ、雄ハウジング４１の筒状嵌合部４２が雌ハウジング１のフード部３内に相対的に進入し、嵌合の完了に近づくと、雄コネクタＭ側と雌コネクタＦ側のそれぞれのリテーナ１４の操作部２１が、対向した相手の検知孔３０内に入り込む。両コネクタＦ，Ｍが正規に嵌合されると、ロックアーム１１の係止孔１２に雄ハウジング４１側の突起４３が嵌まって両コネクタＦ，Ｍが嵌合状態にロックされる（図１６参照）。また、筒状嵌合部４２とハウジング本体２との間でシールリング１０が弾性的に挟持されることで両コネクタＦ，Ｍ間のシールが取られる。
【００３７】
なお、図１７に示すように、雌コネクタＦにおいて、リテーナ１４を本係止位置に移動させることを失念し、仮係止位置に留め置いたままで両コネクタＦ，Ｍが嵌合されると、リテーナ１４の操作部２１が相手の検知孔３０からずれているために、操作部２１が端子収容部材４４の前面に突き当たって正規位置まで嵌合できない。これはロックアーム１１によるロックがなされないことで確認できる。そうしたら、リテーナ１４を本係止位置に移動させたのち、改めて両コネクタＦ，Ｍを嵌合すればよい。
また、雄コネクタＭ側のリテーナ１４が仮係止位置に留め置かれていた場合も、同様にリテーナ１４の操作部２１が相手の雌ハウジング１側の検知孔３０からずれていて、ハウジング本体２の前面に突き当たることから、両コネクタＦ，Ｍが正規に嵌合できず、同様にリテーナ１４が仮係止位置に留め置かれていることが検知できる。
【００３８】
一方、メンテナンス等において端子金具を対応するハウジングから外す場合は以下のようにして行う。
雌コネクタＦ側では、ロックアーム１１によるロックを外して雄コネクタＭから引き抜いたのち、前面からリテーナ１４の操作部２１に手または治具を引っ掛けて、リテーナ１４を仮係止位置に移動させる。そうすると、リテーナ１４による雌側端子金具６Ａ，６Ｂの係止が解除されるから、金属ランス７の係止を解除することで雌側端子金具６Ａ，６Ｂを後方に引き抜くことができる。
雄コネクタＭ側では、パネル５５から外したのち、同様に前面からリテーナ１４の操作部２１に手または治具を引っ掛けて、リテーナ１４を仮係止位置に移動させると、リテーナ１４による雄側端子金具６６Ａ，６６Ｂの係止が解除されるから、金属ランス６７の係止を解除することで雄側端子金具６６Ａ，６６Ｂを後方に引き抜くことができる。
【００３９】
以上説明したように本実施形態によれば、以下のような利点を得ることができる。
雌コネクタＦ側において、リテーナ１４はハウジング本体２内に形成されたリテーナ挿入溝２３に差し込まれる構造であるから、リテーナ１４自体が小型にでき、ひいては雌コネクタＦ全体を小型化できる。フード部３にはリテーナ１４の差込用の窓孔３２が開口されるが、リテーナ１４は小型であって窓孔３２は小さな開口面積に留められ、また両コネクタＦ，Ｍが嵌合された際には相手の雄コネクタＭの筒状嵌合部４２で塞がれ、しかも雄コネクタＭとの間でシールを取るシールリング１０よりも前方に位置していることから、窓孔３２により防水に悪影響が出ることはない。
【００４０】
リテーナ１４は、雌側端子金具６Ａ，６Ｂを装着する前に雌ハウジング１に対して仮係止位置に組み付けておけるから、取り扱いに便利である。
また従来のようにリテーナがハウジングの外周に被さる構造であると、仮係止位置と本係止位置で係止する場合にそれぞれ対称位置に２箇所ずつロック部分を設定する必要があり、構造が複雑となることに加えて、ロックが片利きとなることが懸念されるが、この実施形態ではロック機構がハウジング本体２の内部に設けられることで、ロック部分が仮係止位置と本係止位置のそれぞれ１箇所で済み、構造が簡単にできるとともに、ロックの片利きが生ずることも防止される。
【００４１】
リテーナ１４の操作部２１がハウジング本体２の前面に突出しているから、広く開口した前面側から操作部２１を目視しつつ指または治具を用いてリテーナ１４を移動操作することができ、リテーナ１４の移動操作が簡単にかつ確実に行える。
リテーナ１４の操作部２１が、リテーナ１４が本係止位置に正規に移動しているか否かを検知する検知片を兼ねており、簡単な構造でもってリテーナ１４の位置の検知を行うことができる。
【００４２】
なお、リテーナ１４が小型化できること、そのロック機構が簡単となること、リテーナ１４の移動操作が簡単にできること、及び、リテーナ１４の位置検知が行えることについては、雄コネクタＭ側でも同様の利点を得ることができる。
【００４３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）リテーナは仮係止位置に保持することなく、端子金具が挿入されたのちに直接に本係止位置まで差し込まれるようになっていてもよく、そのようなものも本発明に含まれる。
（２）リテーナの操作部に位置検知の機能を兼用させないのであれば、操作部は必ずしもハウジング本体の前面から突出させて配する必要はない。
【図面の簡単な説明】
【図１】本発明の一実施形態に係る雌コネクタの正面図
【図２】その側面図
【図３】その縦断面図
【図４】リテーナの平面図
【図５】その斜視図
【図６】リテーナが仮係止位置にある場合の平断面図
【図７】リテーナが本係止位置にある場合の平断面図
【図８】リテーナが仮係止位置にある場合の概略断面図
【図９】リテーナが本係止位置にある場合の概略断面図
【図１０】リテーナが本係止位置にある場合の縦断面図
【図１１】雄コネクタの正面図
【図１２】その縦断面図
【図１３】リテーナが仮係止位置にある場合の平断面図
【図１４】リテーナが本係止位置にある場合の平断面図
【図１５】両コネクタの嵌合動作を示す平断面図
【図１６】両コネクタが正規嵌合された状態の平断面図
【図１７】雌コネクタのリテーナが仮係止位置に留め置かれた場合の嵌合動作を示す平断面図
【符号の説明】
Ｆ…雌コネクタ
Ｍ…雄コネクタ
１…雌ハウジング
２…ハウジング本体
３…フード部
５Ａ，５Ｂ…キャビティ
６Ａ，６Ｂ…雌側端子金具
９…段差部
１０…シールリング
１４…リテーナ
１７Ａ，１７Ｂ…係合突部（係合部）
１９…弾性係止片
２１…操作部
２３…リテーナ挿入溝
２８…仮係止孔
２９…本係止孔
３０…検知孔
３２…窓孔
４１…雄ハウジング
４２…筒状嵌合部
４４…端子収容部材
【図１】
0003864592.tif 000002
【図２】
0003864592.tif 000003
【図３】
0003864592.tif 000004
【図４】
0003864592.tif 000005
【図５】
0003864592.tif 000006
【図６】
0003864592.tif 000007
【図７】
0003864592.tif 000008
【図８】
0003864592.tif 000009
【図９】
0003864592.tif 000010
【図１０】
0003864592.tif 000011
【図１１】
0003864592.tif 000012
【図１２】
0003864592.tif 000013
【図１３】
0003864592.tif 000014
【図１４】
0003864592.tif 000015
【図１５】
0003864592.tif 000016
【図１６】
0003864592.tif 000017
【図１７】
0003864592.tif 000018